(57)【要約】【課題】  生体適合性インプラントシステムおよび方法を提供する。【解決手段】  本発明は、バリア（１２）および生体適合性高分子材料（１４）を含む埋め込み可能な組み合わせ物に関する。埋め込まれた場合に生体適合性高分子材料（１４）の一部がバリアを通して曝露されるようにバリア（１２）は多孔性であり、これによって、身体はバリアの表面を本質的に異物ではないと認識する。本発明はまた、バリア材料および生体適合性材料から製造されたインプラントにも関し、このインプラントは、例えば胸部インプラントとして適切である。【選択図】図１
2008307389.tif 000002
【特許請求の範囲】
【請求項１】
ａ）バリア（１２）と、
ｂ）生体適合性高分子材料（１４）と、
を含む埋め込み可能な組み合わせ物であって、
前記バリア（１２）は多孔性であり、埋め込まれた場合、前記生体適合性高分子材料（１４）の一部が前記バリアの上におよび／または前記バリアを通して曝露されることによって、身体が前記バリアの表面を本質的に異物ではないと認識することを特徴とする、埋め込み可能な組み合わせ物。
【請求項２】
前記生体適合性高分子材料（１４）が、ヒドロゲルおよび溶液中の高分子からなる群から選択される、請求項１に記載の埋め込み可能な組み合わせ物。
【請求項３】
前記生体適合性高分子材料（１４）が、多糖類のヒドロゲルである、請求項２に記載の埋め込み可能な組み合わせ物。
【請求項４】
前記多糖類がヒアルロン酸である、請求項１に記載の埋め込み可能な組み合わせ物。
【請求項５】
前記溶液中の高分子がヒアルロン酸である、請求項２に記載の埋め込み可能な組み合わせ物。
【請求項６】
前記ヒドロゲルが、膨潤状態または乾燥状態である、請求項３〜５のいずれか一項に記載の埋め込み可能な組み合わせ物。
【請求項７】
前記ヒドロゲルが微粒子である、請求項３〜６のいずれか一項に記載の埋め込み可能な組み合わせ物。
【請求項８】
前記粒子の粒径が０．１ｍｍ〜１０ｍｍの間である、請求項７に記載の埋め込み可能な組み合わせ物。
【請求項９】
多孔性の前記バリアが、織物、編物、不織布などの布地のようなシート材料、もしくは穿孔されたまたはシートを貫通する開口部を有する不連続の形態のシート材料で製造される、請求項１〜８のいずれか一項に記載の埋め込み可能な組み合わせ物。
【請求項１０】
前記開口部が、０．０２ｍｍ〜５ｍｍの範囲の有効直径を有する、請求項９に記載の埋め込み可能な組み合わせ物。
【請求項１１】
前記バリアが、埋め込まれるべき身体中の所望の位置に適合するように成形される、請求項１〜１０のいずれか一項に記載の埋め込み可能な組み合わせ物。
【請求項１２】
前記バリアが、ポーチとして成形される、請求項１〜１１のいずれか一項に記載の埋め込み可能な組み合わせ物。
【請求項１３】
前記バリアが、体腔の全体を密封することができるように構成された本質的に平坦な材料片である、請求項１〜１１のいずれか一項に記載の埋め込み可能な組み合わせ物。
【請求項１４】
前記ポーチが、胸部インプラントとして使用可能であるように成形される、請求項１〜１２のいずれか一項に記載の埋め込み可能な組み合わせ物。
【請求項１５】
前記ポーチが、臀部インプラントとして使用可能であるように成形される、請求項１〜１２のいずれか一項に記載の埋め込み可能な組み合わせ物。
【請求項１６】
埋め込まれた場合にヒドロゲルの一部がバリアを通して曝露され、それによって身体が前記バリアの表面を本質的に異物ではないと認識するように、多孔性のバリア材料で製造されたポーチ内に封入された生体適合性高分子材料を含むインプラント。
【請求項１７】
胸部インプラントである、請求項１６に記載のインプラント。
【請求項１８】
臀部インプラントである、請求項１６に記載のインプラント。
【請求項１９】
薬物または他の有益な作用物質の持続放出または制御放出のための貯蔵デバイスであって、
ａ）バリアと、
ｂ）生体適合性高分子である材料と、
ｃ）前記生体適合性高分子である材料中に分配された薬物と、
を含み、埋め込まれた場合に、前記生体適合性高分子の材料の一部が前記バリアを通して曝露されることによって身体が前記バリアの表面を本質的に異物ではないと認識されるように、および前記薬物がバリアを通して放出されるように、前記バリア材料が多孔性である貯蔵デバイス。
【請求項２０】
バリアおよび生体適合性高分子の材料を含むキットであって、埋め込まれた場合に前記ヒドロゲルの一部が前記バリアを通して曝露されるように、前記バリア材料が多孔性であるキット。
【請求項２１】
適切に成形されたインプラントを埋め込むことによる身体の輪郭付け方法であって、最低限の侵襲的手術によって身体中の所望の位置に請求項１に記載の埋め込み可能な組み合わせ物を適切に位置決めすることを含む方法。
【発明の詳細な説明】
【技術分野】
【０００１】
本発明は一般的な意味では生体適合性のインプラントに関し、特に、例えば結合組織が成長してインプラントに付着するのを防止する表面を呈するインプラントの提供に関する。
【背景技術】
【０００２】
異物（インプラントなど）が生体（例えば、人間または動物の）に導入される、すなわち身体の中の組織と接触して導入されると、身体は異物に反応する。通常、身体は、異物を排出することにより拒絶しようとする反応を起こす。これができなければ、代わりに異物は、身体から「排除される」ように結合組織内に被包される。
【０００３】
得られる実際の反応または応答は、身体の中のどこに異物が導入されたかに左右される。また、異物を導入する方法、および処置自体により生じる被験者（人間または動物）に与える損傷の程度も、影響を与え得る。
【０００４】
さらに、異物を構成する材料および異物が身体の中に滞留する時間も、発現する反応にとって重要であり得る。
【０００５】
医科学において多くのタイプのインプラント、例えばチタンジョイントなどの骨の代用品が開発されている。チタンは、拒絶反応を引き起こさないという点で非常に生体適合性であることが分かっている。また、周囲の骨格組織に望ましい形で容易に取り込まれるという特性も有する。
【０００６】
しかしながら、特定のタイプのインプラントについてはむしろ反対の場合が望ましく、すなわち、インプラントは周囲の組織に取り込まれてはならず、そして結合組織が絶対に付着してはならない。１つの例は胸部（または乳房）インプラントである。
【０００７】
従来技術の胸部インプラントにはいくつかの異なるタイプが存在する。一般的なタイプは、特許文献１（ベイビアン（Ｂａｂｉａｎ））によって例示されるように、所望の形状および粘稠度に形成されたシリコンパッドである。もう１つの一般的なタイプはバッグまたはポーチに封入された生理食塩水に基づいており、シリコンビーズなどの固体充填材料を含むこともある。特許文献２（ウェイブライト（Ｗａｙｂｒｅｉｇｈｔ）ら）には、一例が開示されている。これらおよび他のタイプのインプラントとの組み合わせに基づく多数の他のタイプが存在する。
【０００８】
従来技術では、その生体適合性を高めて上記の被包効果を低減またはなくすために、このようなバッグまたはポーチの表面を改質する様々な方法が開示されている。このような表面改質は、表面を物理的に処理して表面構造を改質するか、あるいは化学物質を表面に化学的に結合させて、より生体適合性の高い表面を提供することである。
【０００９】
特許文献３（レ・ペスツール（ｌｅ  Ｐｅｓｔｅｕｒ）ら）には、人工装具を充填するための材料として、ヒアルロン酸および／またはポリデオキシリボヌクレオチドに基づくヒドロゲルの使用が開示されている。
【００１０】
特許文献４（ウォレス（Ｗａｌｌａｃｅ）ら）には、例えば薬物の制御放出のための断片化した高分子組成物の使用、特に、タンパク質、多糖類または非生物学的ポリマーのヒドロゲルの使用が開示されている。
【００１１】
本発明者らに知られている従来技術のどの文献においても、結合組織などの細胞による表面成長（ｏｎ−ｇｒｏｗｔｈ）を防止および／または阻止するように長期にわたって持続されるおよび／または長期にわたって連続的に更新される、インプラントの表面の上におよび／または表面を通して曝露される生体適合性材料の保護層を呈するインプラントを提供することによって、結合組織により拒絶または被包または被覆されることから身体の内部のインプラントを保護する問題に対処していない。実際、インプラントは「滲出」することが許されてはならない、すなわち漏出が全く許されてはならないことは十分に確立された概念である。
【００１２】
【特許文献１】米国特許第５，６３２，７７４号明細書
【特許文献２】米国特許第５，５５４，６７１号明細書
【特許文献３】ＥＰ０６９６２１０号明細書
【特許文献４】米国特許出願公開第２００２／０１９３４４８Ａ１号明細書
【特許文献５】国際公開第２００５／０９７２１８Ａ２号パンフレット
【発明の開示】
【発明が解決しようとする課題】
【００１３】
従来技術のインプラントの欠点を考慮して、本発明の目的は、人間などの哺乳類の身体中の選択された位置において生体適合性の材料、好ましくは生体再吸収性の材料、特にヒドロゲルを適所に保持するためのバリア材料を含む、埋め込み可能なデバイスを提供することであり、前記バリア材料は、身体が埋め込まれた構造を異物ではないと認識し得るという趣旨で、生体適合性材料の一部がバリア材料を通して曝露されるようにする開口部を呈する。これにより、結合組織などの細胞の表面成長、すなわちその被包が阻止または好ましくは防止される。
【課題を解決するための手段】
【００１４】
従って、請求項１において定義される本発明の第１の態様は、バリアと、生体適合性高分子材料とを含む埋め込み可能な組み合わせ物を提供し、このバリアは埋め込まれた場合に生体適合性高分子材料の一部がバリアを通して曝露されるように多孔性であり、これによって、身体はバリアの表面を本質的に異物ではないと認識する。
【００１５】
請求項１６において定義される本発明の第２の態様は、埋め込まれた場合にヒドロゲルの一部がバリアを通して曝露されるように多孔性であるバリア材料で製造されたポーチ内に封入された生体適合性高分子材料を含むインプラントであって、これによって、身体はこのバリアの表面を本質的に異物ではないと認識する。
【００１６】
請求項１９において定義される本発明の第３の態様は、薬物または他の有益な作用物質の持続放出または制御放出のための貯蔵デバイスであって、バリアと、生体適合性高分子の材料と、生体適合性高分子の材料中に分配された薬物とを含む。埋め込まれた場合に生体適合性高分子の材料の一部がバリアを通して曝露され、それによって身体がバリアの表面を本質的に異物ではないと認識するように、そして薬物がバリアを通して放出されるように、バリア材料は多孔性である。
【００１７】
さらなる態様では、バリアおよび生体適合性高分子の材料を含む、請求項２０において定義されるキットが提供され、埋め込まれた場合にヒドロゲルの一部がバリアを通して曝露されるように、バリア材料は多孔性である。
【００１８】
また、適切に成形されたインプラントを埋め込むことによる、請求項２１において定義される身体の輪郭付け方法も提供され、最低限の侵襲的手術によって身体中の所望の位置に請求項１に記載の埋め込み可能な組み合わせ物を適切に位置決めすることを含む。
【００１９】
本発明の適用性の更なる範囲は、以下で与えられる詳細な説明と、単に実例として与えられ、従って本発明に対する限定と考えられてはならない添付図面から明らかになるであろう。
【発明を実施するための最良の形態】
【００２０】
本発明は、インプラントとして使用可能な生体適合性および生分解性／吸収性の材料（以下、「インプラント材料」と称する）と、多孔性バリア材料の組み合わせを含む、埋め込み可能な構造またはデバイスを提供するという考えに基づく。埋め込まれた場合に、インプラント材料はバリア材料を通して曝露されて生体適合性の表面を提供するので、身体からの応答は少なくとも減少され、好ましくは著しく減少される。
【００２１】
この考えは、所望の位置に保持するために、生体適合性の材料（好ましい実施形態では、粘弾性微粒子ヒドロゲルが適切である）を含み、「多孔度」を呈するバリア材料（例えば市販品）を用いて実行される。本出願の目的のための「多孔度」および「多孔性」とは、溶媒（例えば、水）および小分子および／または粒子は支障なく通過することができるが、より大きい粒子の通過は排除される、ほぼ明確に定義された孔または通路を、材料が呈することを意味する。
【００２２】
理論に束縛されることを望まないが、多孔度は、粘弾性微粒子のヒドロゲルまたはより適切に言えばただの高分子材料である生体適合性材料の一部が、その粘弾性による変形によって、または単に材料から漏出または滲出することによって、細孔から外に（わずかに）延在できるようにすると考えられる。当然ながら、例えばヒドロゲル粒子の場合、細孔を「すり抜ける」ことができる程度まで変形しないように十分大きいことが条件である。「簡単な」高分子の場合、細孔は、材料からの「滲出」が長期間にわたってインプラントの形状を保持するように十分ゆっくりであるため、かなり小さめでなくてはならない。
【００２３】
このようにして、すなわち、バリアの上の、バリアにおける、あるいは少なくともバリアを通して曝露される生体適合性材料の存在によって、身体組織はバリア材料を異物であると認識するのではなく、身体はその表面を生体適合性表面であると見なし、従って、結合組織による被包が防止されるか、あるいは少なくとも遅延または減少され得る。
【００２４】
この場合も理論に束縛されることを望まないが、本発明の構造の生体適合性には、もう１つのメカニズムも関与するであろうと考えられる。すなわち、生体適合性インプラント材料からの分解生成物は細孔を通って移動または拡散し、バリア材料の表面上または表面近くにインプラント材料を封入または遮蔽する保護層を形成し得る。
【００２５】
従って、バリアの細孔がヒドロゲルを曝露させるので、身体がバリアを通して生体適合性材料、例えばヒドロゲルの一部を「認識する」ことが生じる。「一部」とは、例えばヒドロゲル粒子などの材料のごく一部であり、「デンドライト」または他の伸長のいずれかの形態、もしくはヒドロゲル粒子などの生体適合性材料から細孔を通って外側に延在するがまだ粒子に結合している分子鎖を意味する。ヒドロゲル粒子は非常に不規則な形状を有し、バリア材料の細孔内へ、および細孔から外へ容易に延出し得る大きさの細長い部分を含み得ることに留意することが重要である。「一部」とは、例えばヒドロゲルなどの、断片が細孔を容易に通過可能な大きさの、材料の小断片または材料の分解生成物を意味する。
【００２６】
上記の考えられるメカニズムは両方共、本出願では「滲出」と呼ばれる。従って通常、「滲出」は、上記のいずれかのメカニズムによって、膨潤状態にある微粒子ヒドロゲルなどの生体適合性材料または通常の高分子材料が、多孔性容器またはポーチ内に封入される場合に起こる工程であると定義することができる。
【００２７】
本出願の目的のために、「細孔」は、織物、編物、不織布などの布地、または穿孔された（または不連続、すなわちフィルムを貫通する開口部を有する）フィルム形態のシート材料における開口部を意味するために用いられる。従って、細孔は、織物または編物材料のメッシュ開口、および不織繊維布における隙間であり得る。これらの細孔に課せられる要件は、上記の工程および条件を可能にしなければならないことである。
【００２８】
当然ながら、これら２つの現象の組み合わせが生体適合性をもたらす可能性は最も高い。
【００２９】
インプラント材料の分解速度は、成分ポリマー分子を制御下で所望の程度まで架橋することによって、適切に制御される。また、粒子の粒径は、バリア材料を通る材料輸送の速度における役割を果たす。
【００３０】
従って、記載した特性を有するバリア材料は、生体適合性および吸収性のインプラント材料の粒子および／または断片または分子がある程度および割合までバリアを通過できるようにし、定常状態が形成されてバリア材料の外側表面上のコーティング層が連続的に新しくされ、身体の自然の応答が埋め込まれた実体を拒絶するのを制限する。言い換えると、バリア材料は身体内の組織と直接接触せず、これにより、異物に対する応答が低減されるかまたはなくされる。
【００３１】
もう１つの実施では、例えば臓器または腺などの組織が除去された状況で本発明の概念を使用することが考えられる。前記臓器の除去の際に形成された体腔を保持することが望ましいと仮定する。その場合、例えば縫合などによってバリア材料を体腔の全体を覆うように取り付け、インプラント材料の放散を防止または制限するための局所バリアとして使用することが可能であろう。バリアが適所にあれば、適切なヒドロゲルを注入して空隙を充填することができる。続いて、除去された組織の代替品が後になって挿入される場合に、ヒドロゲルは簡単に除去され、体腔は新しい組織片を容易に適合し得る。
【００３２】
インプラント材料は、インプラント材料の内部に封入された薬物などのより小さい分子の制御放出のための貯蔵所として使用することもできる。放出はインプラント材料の分解と共にゆっくり起こり、分解生成物の移動はより小さい分子を伴い得る。
【００３３】
バリア材料は、バリアを通る移動が制御されるようにインプラント材料の粒子および／または断片または分解生成物の大きさに合わせた多孔度を有する、薄くて可撓性の材料であるのが適切である。特に、バリアは織物または編物材料であり得るが、不織布または他のタイプの繊維布などの、他の多孔性材料も可能である。
【００３４】
バリア材料は、インプラント材料を完全に封入する容器を形成するように加工することができる。このようにして、バリア材料は、封入されたインプラント材料にバリア材料の物理特性およびその幾何学的形状によって定義される構造を付与することに使用することができる。
【００３５】
バリア材料を成形するために使用することができる従来の技法の例は、熱成形、射出成形、回転成形、射出ブロー成形、射出延伸ブロー成形、押出ブロー成形、インサート成形、真空成形である。
【００３６】
材料または材料片を結合して適切な構造を形成するために、レーザー溶接、超音波溶接、線形振動溶接、軌道振動溶接、スピン溶接、熱板溶接のいずれの技法も使用することができる。他の可能な方法は、ソーイング、スティッチング、グルーイング、ステープリングである。
【００３７】
異物、すなわちインプラント構造の導入は、皮膚、体腔または解剖学的な開口を通って身体に進入することにより実行されるが、これらの構造に対してできる限り最小の損傷を伴う処置であると定義される、いわゆる「最低限の侵襲的な医療処置」によって達成することが可能である。
【００３８】
また、身体内に導入後、埋め込まれた物体の最終形状を変更できるように容器を設計することも可能である。特に、例えばもしインプラント材料が分解し、体積が減少した場合には、所望の大きさに体積を調整するために容器を再充填または補充することができる。再充填は、バリア材料を通して直接注射器でより多くの材料を注入することによって簡単に行うことができる。あるいは、バリア材料内の専用バルブまたはポートを用いることもできる。
【００３９】
既に示したように、バリア材料は様々なタイプのものであり得る。基本的な要件は透過性であることであり、すなわち、ポリマーの小分子または断片を制御された速度で通過させる細孔または隙間を呈する。好ましくは、バリアは、２０μｍよりも大きい、好ましくは３０μｍよりも大きいメッシュサイズを有する織物、編物または不織布材料などの布地材料である。一方、サイズは５ｍｍ未満、好ましくは１ｍｍ未満、適切には０．３ｍｍ未満でなければならない。
【００４０】
織物または編物材料の場合、モノフィラメント糸が適切に使用される。モノフィラメント糸は、２０μｍよりも大きく、好ましくは３０μｍよりも大きく、４ｍｍよりも小さく、好ましくは０．６ｍｍよりも小さい範囲の糸フィラメント直径を有し得る。
【００４１】
本発明において使用可能な市販のバリア材料の例としては、シーファー社（Ｓｅｆａｒ  ＡＧ）（ポリマー）、サアティテックＳ．Ｐ．Ａ．（ＳａａｔｉＴｅｃｈ  Ｓ．Ｐ．Ａ．）（ポリマー）、Ｇ．ボップ（Ｂｏｐｐ）＋Ｃｏ．ＡＧ（金属）からの布地およびフィルタメッシュ布がある。
【００４２】
現在のところ織物または編物材料が好ましいが、バリア材料の特性が本発明の要件を満たす限りは、適切な手段によって穿孔された元来非多孔性の材料を用いることも同等に可能である。
【００４３】
本発明における使用に適したインプラント材料は、微粒子ヒドロゲルを形成することができる生体適合性材料から選択することができる。
【００４４】
インプラント材料は粘弾性微粒子のヒドロゲルであるのが適切であり、好ましくは生体適合性の多糖類から選択され、特に有用な化合物は架橋したヒアルロン酸である。ヒドロゲル粒子の主要な体積は、生理食塩水にさらされた場合に、０．１〜１０ｍｍ、好ましくは０．２〜５ｍｍ、より好ましくは１〜５ｍｍの範囲の大きさを有するべきである。従来技術の微粒子ヒドロゲルの一例は、特許文献５（アゲルプ（Åｇｅｒｕｐ））に開示されている。
【００４５】
本発明の概念は、薬物またはタンパク質およびペプチドなどの他の有益な作用物質の持続放出および／または制御放出のための埋め込み可能な貯蔵デバイスを製造するために適用することもできる。このような場合、埋め込まれたデバイスは、例えば、約１ｍｍ〜数ｍｍの厚さであり、約５〜５０ｍｍの「直径」（円形の錠剤の場合）を有する平坦な錠剤のようにかなり小さい。これらの寸法はあくまで例示であり、その他の寸法および形状（例えば、正方形、矩形、楕円など）も可能である。
【００４６】
本発明の埋め込み可能な組み合わせ物は、別々のキット成分としてバリア材料および生体適合性材料（例えば、ヒドロゲル）を含むキットとして供給することができる。材料は、例えばヒドロゲルであれば、ユーザーによる復元のために乾燥形態で提供されるか、あるいは無菌注射器内で使用可能な状態で提供され得る。このようなキットは、特に、上記のようにバリアがヒドロゲルを体腔内に閉じ込めるための膜として使用される実施形態に適する。しかしながら、復元はユーザーによって行われる必要はなく、埋め込まれた後に身体の内部で行われ得る。
【００４７】
従って、「ヒドロゲル」という用語は、乾燥状態および膨潤状態の両方ならびにこれらの間の任意状態の材料を包含するために用いられる。
【００４８】
しかしながら、胸部インプラントなどの適切なインプラントのために、適切に成形されたポーチと、使用可能な状態の再構成可能なヒドロゲルまたは注射器内のヒドロゲルとを含むキットを供給することが可能である。
【００４９】
図１は、乳房インプラント１０、すなわち、例えば手術の後の自然な外観を再建するため、または美容目的のための自然な胸部の代替品の形態である、本発明の一実施形態を概略的（縮尺通りではない）に断面で示す。
【００５０】
乳房インプラント１０は、布地材料で製造された容器またはポーチ１２を含む。ポーチ１２は、部分的に架橋された微粒子ヒアルロン酸１４を含む。
【００５１】
容器は、１つまたは複数の部分から、溶接（レーザー、超音波）焼結、ニッティング、ソーイングまたはこれらの組み合わせによって結合および最終的に密封して製造することができる。ポーチには、１６で概略的に示される細孔が存在する（細孔の一部だけが図示される）。これらの細孔は、織布または編布の網目であり得る。
【００５２】
容器の充填は、フィルタメッシュまたは適切なバルブを通して注射器によって行うことができる。充填は埋め込みの前に行うこともでき、あるいはポーチが適所に配置された後で行うこともできる。
【００５３】
図２は、ヒドロゲル粒子２０がその粘弾性特性のために細孔２４またはフィラメント２６間のメッシュ（織物バリアの場合）からわずかに延出する（２２）ことができる、上述の状態を図示する。
【００５４】
図３では、もう１つの状態が図示する。ここで、分子スケールでの生体適合性材料２０の個々の鎖または少なくとも一部３０は、メッシュまたは細孔２４から延出してインプラントの表面の上、または表面において生体適合性の実体を示す。
【００５５】
図４は、生体適合性材料２０のより小さい断片４０および分子レベルの部分４２が細孔またはメッシュ２４から移動して、インプラントの表面上、または表面において少なくとも一時的に存在している状態を図示する。
【００５６】
本発明を、これから以下の非限定的な実施例によって説明する。
【実施例】
【００５７】
以下の全ての実施例において、ヒアルロン酸のヒドロゲルは、Ｑ−Ｍｅｄ（スウェーデン、ウプサラ）から入手される。
【００５８】
実施例において使用される布地は市販されている。
【００５９】
実施例１（試験インプラント）
８６μｍの糸直径を有するポリアミド糸（モノフィラメント）から製造され、１５０μｍのメッシュサイズを有するＳｅｆａｒ  ＮｉｔｅｘＴＭ布地（スイスのシーファー社から）からポーチを作製した。レーザーにより布地片を切断し、材料をポーチに成形し、最終的にレーザー溶接により密封することによって、ポーチを作製した。注射器で粘弾性粒子を注入することによってポーチにヒドロゲル粒子を充填した。
【００６０】
実施例２
実施例１のように作製したポーチに、２１ゲージ注射器を用いてレスチラン・サブＱ（Ｒｅｓｔｙｌａｎｅ  ＳｕｂＱ）（Ｑ−Ｍｅｄにより製造）を充填した。注入部位において漏出は観察されなかった。ポーチの表面は滑らかな感触を有し、ポーチの表面における多糖類の存在が示された。
【００６１】
実施例３
実施例２のように充填されたポーチを、水を含むプラスチックジャー内に入れた。少なくとも５ヶ月貯蔵した後、ポーチはまだゲルで充填されており、表面は依然として滑らかな感触を有し、ポーチの表面における多糖類の存在が示された。
【００６２】
実施例４
実施例２のように充填されたポーチを室温で乾燥した。次に、乾燥した材料を含むポーチを水の通路を含む管内に入れた。乾燥材料は１時間以内に膨潤し、ポーチはゲルで充填された乾燥の前の形状を回復した。
【図面の簡単な説明】
【００６３】
【図１】本発明に従う胸部インプラントを概略的に示す。
【図２】インプラントの生体適合性表面を達成するための妥当と思われるメカニズムの概略図であり、粘弾性粒子が織物バリアのメッシュから延出し、曝露されている。
【図３】インプラントの生体適合性表面を生じる、さらなるメカニズムの概略図である。
【図４】インプラントの生体適合性表面を達成するためのさらなるメカニズムの概略図である。
【符号の説明】
【００６４】
１０  乳房インプラント
１２  バリア（またはポーチ）
１４  生体適合性高分子材料（またはヒアルロン酸）
１６  細孔
２０  生体適合性材料（またはヒドロゲル粒子）
２２  延出した生体適合性材料（またはヒドロゲル粒子）
２４  細孔（またはメッシュ）
２６  フィラメント
４０  生体適合性材料のより小さい断片
４２  生体適合性材料の分子レベルの部分
【図１】
2008307389.tif 000003
【図２】
2008307389.tif 000004
【図３】
2008307389.tif 000005
【図４】
2008307389.tif 000006
【外国語明細書】
2008307389.tif 000007
2008307389.tif 000008
2008307389.tif 000009
2008307389.tif 000010
2008307389.tif 000011
2008307389.tif 000012
2008307389.tif 000013
2008307389.tif 000014
2008307389.tif 000015
2008307389.tif 000016
2008307389.tif 000017
2008307389.tif 000018
2008307389.tif 000019
2008307389.tif 000020
2008307389.tif 000021
2008307389.tif 000022
2008307389.tif 000023
2008307389.tif 000024
2008307389.tif 000025
2008307389.tif 000026